(57)【要約】【課題】断熱性の向上を図ることができる冷蔵庫を提供することである。【解決手段】実施形態の冷蔵庫は、筐体と、第１仕切り部とを持つ。前記筐体は、第１貯蔵室を含む。前記第１仕切り部は、前記第１貯蔵室内に配置され、前記第１貯蔵室の内部を、第１貯蔵部と、前記第１貯蔵部よりも低い温度帯に冷却される第２貯蔵部とに少なくとも仕切る。前記第１仕切り部の少なくとも一部は、エアロゲル、キセロゲル、またはクライオゲルを含む断熱材で形成されている。【選択図】図７
2020109341.tif 000002
【特許請求の範囲】
【請求項１】
第１貯蔵室を含む筐体と、
前記第１貯蔵室内に配置され、前記第１貯蔵室の内部を、第１貯蔵部と、前記第１貯蔵部よりも低い温度帯に冷却される第２貯蔵部とに少なくとも仕切る第１仕切り部と、
を備え、
前記第１仕切り部の少なくとも一部は、エアロゲル、キセロゲル、またはクライオゲルを含む断熱材で形成されている、
冷蔵庫。
【請求項２】
前記第２貯蔵部は、前記第１貯蔵部の少なくとも一部の下方に設けられ、
前記第１仕切り部は、前記第１貯蔵部と前記第２貯蔵部との間に位置し、前記第２貯蔵部の天井部を形成した天井板部を含み、
前記天井板部は、前記天井板部の全厚に亘って前記断熱材で形成されている、
請求項１に記載の冷蔵庫。
【請求項３】
前記第２貯蔵部は、前記第１貯蔵部の少なくとも一部の下方に設けられ、
前記第１仕切り部は、前記第１貯蔵部と前記第２貯蔵部との間に位置し、前記第２貯蔵部の天井部を形成した天井板部と、前記第２貯蔵部の前側に位置し、前記第２貯蔵部を開閉可能に閉じる蓋とを有し、
前記蓋の少なくとも一部は、前記断熱材で形成されている、
請求項１または請求項２に記載の冷蔵庫。
【請求項４】
前記第２貯蔵部に配置された複数のトレイであって、第１トレイと、前記第１トレイの上方に配置された第２トレイとを含む複数のトレイをさらに備え、
前記第２トレイの底部の少なくとも一部は、前記断熱材で形成されている、
請求項１から請求項３のうちいずれか１項に記載の冷蔵庫。
【請求項５】
前記第２貯蔵部の側方に配置され、製氷用の水が貯蔵される貯水容器をさらに備え、
前記第１仕切り部は、前記貯水容器と前記第２貯蔵部との間に配置された側板を含み、
前記側板の少なくとも一部は、前記断熱材で形成されている、
請求項１から請求項４のうちいずれか１項に記載の冷蔵庫。
【請求項６】
前記第２貯蔵部は、前記第１貯蔵部の少なくとも一部の下方に設けられ、
前記筐体は、前記第２貯蔵部の下方に設けられた第２貯蔵室を含み、
前記冷蔵庫は、前記第１貯蔵室と前記第２貯蔵室との間に配置された仕切り部であって、前記第２貯蔵部の下方に位置した第１領域と、前記第１領域よりも前側に位置した第２領域とを含む第２仕切り部を有し、
前記第２仕切り部の前記第１領域の少なくとも一部は、前記断熱材で形成されている、
請求項１から請求項５のうちいずれか１項に記載の冷蔵庫。
【請求項７】
前記第２仕切り部の前記第２領域の少なくとも一部は、前記断熱材よりも断熱性が小さい材料で形成されている、
請求項６に記載の冷蔵庫。
【請求項８】
前記筐体は、前記第１貯蔵室よりも低い温度帯に冷却される第３貯蔵室を含み、
前記冷蔵庫は、
前記第１貯蔵室に配置され、水が貯蔵される貯水容器と、
前記第３貯蔵室に配置された製氷機ユニットと、
前記貯水容器に貯蔵された水を前記製氷機ユニットに向けて導く給水管部と、
前記貯水容器と前記製氷機ユニットとの間に位置した断熱部材と、
をさらに備え、
前記断熱部材は、前記断熱材で形成されるとともに、前記給水管部が通される穴部または切欠き部が設けられている、
請求項１から請求項７のうちいずれか１項に記載の冷蔵庫。
【請求項９】
前記断熱部材は、前記穴部と前記断熱部材の外縁とを繋ぐスリットを有し、前記スリットに前記給水管部を通すことで、前記貯水容器と前記製氷機ユニットとの間に配置可能である、
請求項８に記載の冷蔵庫。
【請求項１０】
少なくとも一部が前記筐体の外部に露出した表面部品と、
前記表面部品の背後に設けられた防露部品と、
前記防露部品に対して前記表面部品とは反対側に設けられた断熱部と、
をさらに備え、
前記断熱部は、前記断熱材で形成されて弾性を有した第１部分と、前記断熱材とは異なる材料で形成された第２部分とを有し、
前記１部分は、前記防露部品と前記第２部分との間に挟まれて弾性力により前記防露部品を前記表面部品の裏面に向けて押圧する、
請求項１から請求項９のうちいずれか１項に記載の冷蔵庫。
【請求項１１】
前記第１部分は、前記断熱材で形成された本体部と、前記本体部のなかで前記防露部品に面する表面に設けられた金属部とを有し、前記第２部分と前記防露部品との間に挟まれて前記金属部を前記防露部品および前記表面部品の裏面に向けて押圧する、
請求項１０に記載の冷蔵庫。
【請求項１２】
第１貯蔵部と前記第１貯蔵部の少なくとも一部の下方に設けられて前記第１貯蔵部よりも低い温度帯に冷却される第２貯蔵部とを含む第１貯蔵室と、前記第１貯蔵室の下方に設けられた第２貯蔵室とを有した筐体と、
前記第１貯蔵室と前記第２貯蔵室との間に配置された仕切り部であって、前記第２貯蔵部の下方に位置した第１領域と、前記第１領域よりも前側に位置した第２領域とを含む仕切り部と、
を備え、
前記仕切り部の前記第１領域の少なくとも一部は、エアロゲル、キセロゲル、またはクライオゲルを含む断熱材で形成されている、
冷蔵庫。
【請求項１３】
第１貯蔵室と、第２貯蔵室とを含む筐体と、
前記第１貯蔵室に配置され、水が貯蔵される貯水容器と、
前記第２貯蔵室に配置された製氷機ユニットと、
前記貯水容器に貯蔵された水を前記製氷機ユニットに向けて導く給水管部と、
前記貯水容器と前記製氷機ユニットとの間に設けられた断熱部材と、
を備え、
前記断熱部材は、エアロゲル、キセロゲル、またはクライオゲルを含む断熱材で形成されるとともに、前記給水管部が通される穴部または切欠き部が設けられている、
冷蔵庫。
【請求項１４】
筐体と、
少なくとも一部が前記筐体の外部に露出した表面部品と、
前記表面部品の背後に設けられた防露部品と、
前記防露部品に対して前記表面部品とは反対側に設けられた断熱部と、
をさらに備え、
前記断熱部は、エアロゲル、キセロゲル、またはクライオゲルを含む断熱材で形成されて弾性を有した第１部分と、前記断熱材とは異なる材料で形成された第２部分とを有し、
前記１部分は、前記防露部品と前記第２部分との間に挟まれて弾性力により前記防露部品を前記表面部品の裏面に向けて押圧する、
冷蔵庫。
【発明の詳細な説明】
【技術分野】
【０００１】
本発明の実施形態は、冷蔵庫に関する。
【背景技術】
【０００２】
貯蔵室を温度が互いに異なる複数の貯蔵部に仕切る仕切り部を有した冷蔵庫が知られている。ところで冷蔵庫は、さらなる断熱性の向上が期待されている。
【先行技術文献】
【特許文献】
【０００３】
【特許文献１】特開２００４−３４０４２０号公報
【発明の概要】
【発明が解決しようとする課題】
【０００４】
本発明が解決しようとする課題は、断熱性の向上を図ることができる冷蔵庫を提供することである。
【課題を解決するための手段】
【０００５】
実施形態の冷蔵庫は、筐体と、第１仕切り部とを持つ。前記筐体は、第１貯蔵室を含む。前記第１仕切り部は、前記第１貯蔵室内に配置され、前記第１貯蔵室の内部を、第１貯蔵部と、前記第１貯蔵部よりも低い温度帯に冷却される第２貯蔵部とに少なくとも仕切る。前記第１仕切り部の少なくとも一部は、エアロゲル、キセロゲル、またはクライオゲルを含む断熱材で形成されている。
【図面の簡単な説明】
【０００６】
【図１】第１の実施形態の冷蔵庫を示す正面図。
【図２】図１中に示された冷蔵庫のＦ２−Ｆ２線に沿う断面図。
【図３】第１の実施形態の冷蔵庫の概略構成を示す斜視図。
【図４】第１の実施形態の冷蔵庫を示す断面図。
【図５】第１の実施形態の仕切壁の仕切壁上部部材を下方から見た下面図。
【図６】第１の実施形態の変形例の冷蔵庫を示す断面図。
【図７】第２の実施形態の冷蔵庫を示す断面図。
【図８】第３の実施形態の冷蔵庫を示す断面図。
【図９】第４の実施形態の冷蔵庫を示す断面図。
【図１０】第５の実施形態の冷蔵庫を示す断面図。
【図１１】第６の実施形態の冷蔵庫を示す断面図（図１のＦ１１−Ｆ１１に対応する断面）。
【図１２】第６の実施形態の冷蔵庫の第２仕切壁の上面図。
【図１３】第７の実施形態の冷蔵庫の小冷凍室扉と第２仕切壁を示す断面図。
【図１４】第７の実施形態の冷蔵庫の前面部材を冷蔵庫の正面から見た図。
【図１５】第７の実施形態の第１の変形例の冷蔵庫の第１断熱部材を示す断面図。
【図１６】第７の実施形態の第１の変形例の冷蔵庫の小冷凍室扉と第２仕切壁を示す断面図。
【図１７】第７の実施形態の第２の変形例の冷蔵庫の小冷凍室扉と第２仕切壁を示す断面図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。本明細書において「横幅方向」とは、上記定義における左右方向を意味する。本明細書において「奥行方向」とは、上記定義における前後方向を意味する。本明細書において「ＸＸとＹＹとの間にＺＺが挟まれる」とは、ＺＺがＸＸおよびＹＹに接する場合に限定されず、ＺＺとＸＸとの間と、ＺＺとＹＹとの間の少なくとも一方に別の部材が介在する場合も含む。
【０００８】
（第１の実施形態）
図１は、第１の実施形態の冷蔵庫１を示す正面図である。図２は、図１中に示された冷蔵庫１のＦ２−Ｆ２線に沿う断面図である。図３は、第１の実施形態の冷蔵庫１の概略構成を示す斜視図である。なお図２では、説明の便宜上、後述する仕切壁断熱シート３０１の図示を省略している。
【０００９】
冷蔵庫１は、例えば、筐体１０、複数の扉２０（２１〜２６）、複数の棚３０（３１〜３３）、複数の容器４０（４１〜４７）、圧縮機５０、第１冷却機構６０、および第２冷却機構７０を有する。
【００１０】
筐体１０は、例えば、外箱と、内箱と、外箱と内箱との間に充填された断熱材とを有し、断熱性を持つ。断熱材は、例えば発泡ウレタンのような発泡断熱材である。筐体１０は、天井壁１１、底壁１２、後壁１３、左側壁１４、および右側壁１５を有する。
【００１１】
筐体１０の内部には、複数の貯蔵室８０が設けられている。複数の貯蔵室８０は、例えば、冷蔵室８１、野菜室８２、製氷室８３（図３参照）、小冷凍室８４、および主冷凍室８５を含む。第１の実施形態では、最上部に冷蔵室８１が配置され、冷蔵室８１の下方に野菜室８２が配置され、野菜室８２の下方に製氷室８３および小冷凍室８４が配置され、製氷室８３および小冷凍室８４の下方に主冷凍室８５が配置されている。ただし、貯蔵室８０の配置は、上記例に限定されず、例えば野菜室８２と主冷凍室８５の配置が逆でもよい。筐体１０は、各貯蔵室８０の前面側に、各貯蔵室８０に対して食材の出し入れを可能にする開口を有する。冷蔵室８１は、「第１貯蔵室」の一例である。野菜室８２は、「第２貯蔵室」の一例である。製氷室８３は、「第３貯蔵室」の一例である。
【００１２】
複数の扉２０（２１〜２６）は、冷蔵室８１を開閉可能に閉じる左冷蔵室扉２１、右冷蔵室扉２２と、野菜室８２を開閉可能に閉じる野菜室扉２３、製氷室８３を開閉可能に閉じる製氷室扉２４、小冷凍室８４を開閉可能に閉じる小冷凍室扉２５、および主冷凍室８５を開閉可能に閉じる主冷凍室扉２６を含む。
【００１３】
筐体１０は、仕切壁９１と、仕切壁９５とを有する。仕切壁９１は、略水平方向に沿って設けられた仕切壁である。仕切壁９１は、冷蔵室８１と野菜室８２との間に設けられ、冷蔵室８１と野菜室８２との間を仕切っている。例えば、仕切壁９１は、冷蔵室８１の底壁（後述する製氷用給水タンク室８１ｂおよびチルド室８１ｃの底壁を含む）を形成するとともに、野菜室８２の天井壁を形成している。一方で、仕切壁９５は、略水平方向に沿って設けられた断熱仕切壁である。仕切壁９５は、野菜室８２と、製氷室８３および小冷凍室８４との間に設けられ、野菜室８２と、製氷室８３および小冷凍室８４との間を仕切っている。例えば、仕切壁９５は、野菜室８２の底壁を形成するとともに、製氷室８３および小冷凍室８４の天井壁を形成している。仕切壁９１は、「第２仕切り部」の一例である。
【００１４】
仕切壁９１は、奥行方向の手前側に１つ以上の前側通気口９４ｃを有する。前側通気口９４ｃは、仕切壁９１を貫通する貫通穴であり、前側通気口９４ｃによって、冷蔵室８１と野菜室８２とが連通する。また、仕切壁９１は、奥行方向の奥側の１つ以上の角部が、切欠状に形成されて後側通気口９４ｂを構成する。後側通気口９４ｂは、仕切壁９１を貫通する貫通穴であり、後側通気口９４ｂによって、冷蔵室８１と野菜室８２とが連通する。仕切壁９１は、前側通気口９４ｃと後側通気口９４ｂのうち、少なくともどちらか一方を備えればよい。
【００１５】
冷蔵室８１には、通常冷蔵室８１ａと、製氷用給水タンク室８１ｂと、チルド室８１ｃとが設けられている。製氷用給水タンク室８１ｂとチルド室８１ｃとは、冷蔵室８１内における最下部（仕切壁９１の上部）に設けられている。例えば、ユーザから見て、左側に製氷用給水タンク室８１ｂが位置し、右側にチルド室８１ｃが位置する。
【００１６】
通常冷蔵室８１ａと、チルド室８１ｃとの間、および、通常冷蔵室８１ａと、製氷用給水タンク室８１ｂとの間は、略水平方向に沿って設けられたチルド室上面仕切部９６によって互いに仕切られている。製氷用給水タンク室８１ｂとチルド室８１ｃとは、略垂直方向に沿って設けられた給水タンク室仕切壁９７（図３および図９参照）によって互いに仕切られている。チルド室８１ｃは、通常冷蔵室８１ａの少なくとも一部の下方に設けられる。通常冷蔵室８１ａは、「第１貯蔵部」の一例である。チルド室８１ｃは、「第２貯蔵部」の一例である。チルド室上面仕切部９６は、「第１仕切り部」を構成する要素の一例である。製氷用給水タンク室仕切壁９７は、「第１仕切り部」を構成する要素の一例である。
【００１７】
通常冷蔵室８１ａ、製氷用給水タンク室８１ｂ、および野菜室８２は、いずれも冷蔵温度帯（例えば、１〜５℃）に保たれる。冷蔵温度帯（例えば、１〜５℃）は、例えば、第１貯蔵部の温度の一例である。一方で、チルド室８１ｃは、チルド温度帯（例えば、０〜１℃）に保たれる。チルド温度帯（例えば、０〜１℃）は、例えば、第１貯蔵部よりも低い温度帯に冷却される第２貯蔵部の温度の一例である。つまり、第２貯蔵部（チルド室８１ｃ）は、第１貯蔵部（通常冷蔵室８１ａ、製氷用給水タンク室８１ｂ、および野菜室８２）よりも低い温度帯に冷却される。
【００１８】
複数の棚３０は、冷蔵室８１に設けられている。複数の容器４０は、冷蔵室８１のチルド室８１ｃに設けられたチルドケース４１、野菜室８２に設けられた第１および第２の野菜室容器４２，４３、製氷室８３に設けられた製氷室容器４４（図３参照）、小冷凍室８４に設けられた小冷凍室容器４５、主冷凍室８５に設けられた第１および第２の主冷凍室容器４６，４７を有する。
【００１９】
圧縮機５０は、例えば、冷蔵庫１の底部の機械室に設けられている。圧縮機５０は、貯蔵室８０の冷却に用いられる冷媒ガスを圧縮する。圧縮機５０により圧縮された冷媒ガスは、不図示の放熱パイプなどを経由して、冷却器６２，７２に送られる。
【００２０】
第１冷却機構６０（冷蔵温度帯の冷却機構）は、例えば、送風ダクト３７、冷気供給ダクト３８、冷蔵用冷却器室６１、冷蔵用冷却器６２、冷蔵用送風ファン６４、およびチルド用冷気供給口６５を含む。野菜室８２の後方には、冷蔵用送風ファン６４が配設されているとともに、冷蔵室吸込口３６および送風ダクト３７が設けられている。冷蔵用送風ファン６４は、冷蔵用冷却器６２に風を送る。なお本明細書において「冷却器に風を送る」とは、空気の流れ方向で冷却器の上流側にファンが配置され、冷却器に向けて風を送る場合に限定されず、空気の流れ方向で冷却器の下流側にファンが配置され、周囲の空気をさらに下流側に送ることで、前記冷却器の上流側に位置する空気を前記冷却器に向けて移動させる場合も含む。送風ダクト３７は、冷蔵用冷却器室６１に連通している。冷蔵室吸込口３６は、例えば野菜室４に開口している。
【００２１】
この構成において、冷蔵用送風ファン６４が駆動されると、野菜室８２内の空気が冷蔵室吸込口３６から冷蔵用送風ファン６４側に吸い込まれ、その吸い込まれた空気は、送風ダクト３７側へ吹き出される。送風ダクト３７側へ吹き出された空気は、冷蔵用冷却器６２に接触して熱交換が行われ、冷却される。冷却された空気（冷気）は、冷気供給ダクト３８を通り、複数の冷蔵用冷気供給口３８ａから通常冷蔵室８１ａに吹き出され、また、チルド用冷気供給口６５からチルド室８１ｃに吹き出される。通常冷蔵室８１ａとチルド室８１ｃに流入した冷気は、前側通気口９４ｃと後側通気口９４ｂを通じて、野菜室８２に流れ、最終的に冷蔵用送風ファン６４に吸い込まれるという循環が行われる。
【００２２】
この過程で、冷蔵用冷却器室６１内を通る空気が冷蔵用冷却器６２によって冷却されて冷気となり、冷気が通常冷蔵室８１ａに供給されることによって、通常冷蔵室８１ａが冷蔵温度帯の温度に冷却され、冷気がチルド室８１ｃに供給されることによって、チルド室８１ｃがチルド温度帯の温度に冷却される。尚、チルド室８１ｃは、通常冷蔵室８１ａや野菜室８２よりも、冷蔵用冷却器６２に近い位置にあるため、チルド室８１ｃは、冷蔵温度帯（例えば、１〜５℃）よりも低温であるチルド温度帯（例えば、０〜１℃）に保たれる。
【００２３】
第２冷却機構７０（冷凍温度帯の冷却機構）は、例えば、冷凍用冷却器室７１、冷凍用冷却器７２、および冷凍用送風ファン７６を含む。冷蔵庫１の冷凍温度帯の貯蔵室（製氷室８３、小冷凍室８４、主冷凍室８５）の背壁部には、冷凍用冷却器室７１が設けられている。冷凍用冷却器室７１には、冷凍用冷却器７２や除霜用ヒータ（図示せず）などが配設されている。また、冷凍用冷却器７２の下方には、冷凍用送風ファン７６が配設されている。冷凍用冷却器室７１の前面の上端部には、冷気吹出口７７が設けられ、下端部には、冷凍室吸込口７８が設けられている。
【００２４】
この構成において、冷凍用送風ファン７６が駆動されると、冷凍用冷却器７２により生成された冷気が、冷気吹出口７７から製氷室８３、小冷凍室８４、主冷凍室８５内に供給された後、冷凍室吸込口７８から冷凍用冷却器室７１内に戻されるといった循環が行われる。これにより、それら製氷室８３、小冷凍室８４、主冷凍室８５が冷却される。
【００２５】
次に、第１の実施形態の断熱構造について詳しく説明する。
図４は、第１の実施形態の冷蔵庫１を示す断面図である。図５は、第１の実施形態の仕切壁９１の仕切壁上部部材９１ａを下方から見た下面図である。図示されるように、仕切壁９１は、例えば、仕切壁上部部材９１ａと、仕切壁下部部材９１ｂと、仕切壁断熱シート３０１とを含む。仕切壁９１は、「仕切り部」および「第２仕切り部」のそれぞれ一例である。
【００２６】
仕切壁上部部材９１ａは、後述する仕切壁断熱シート３０１よりも断熱性が小さい（熱伝導率が大きい）材料（例えば一般的な合成樹脂）で形成されている。仕切壁上部部材９１ａは、板部９２ａと、リブ９２ｂと、１つ以上の冷気案内部９２ｃとを有する。板部９２ａは、水平に延びており、通常冷蔵室８１ａとチルド室８１ｃとの間の仕切壁を形成している。例えば、板部９２ａは、冷蔵室８１の底壁（製氷用給水タンク室８１ｂおよびチルド室８１ｃの底壁を含む）を形成している。
【００２７】
板部９２ａは、チルド室８１ｃの下方に位置した第１領域９２ａ１と、チルド室８１ｃの下方を外れた（例えばチルド室８１ｃよりも前側に位置した）第２領域９２ａ２とを有する。つまり、第２領域９２ａ２は、冷蔵庫１の奥行方向において、第１領域９２ａ１に対して前側に位置している。第１領域９２ａ１は、チルド室８１ｃの底壁を形成している。一方で、第２領域９２ａ２は、例えばチルド室８１ｃの前側で、通常冷蔵室８１ａの底壁を形成している。
【００２８】
リブ９２ｂは、例えば冷蔵庫１の横幅方向に延在する板状の突出部であり、板部９２ａの下面から下方に向けて突出している。例えば、リブ９２ｂの下端部は、仕切壁下部部材９１ｂの上面に当接している。本実施形態では、リブ９２ｂは、板部９２ａの第１領域９２ａ１に設けられている。
【００２９】
冷気案内部９２ｃは、例えば、板部９２ａから下方に突出し、仕切壁下部部材９１ｂの上面に当接している。冷気案内部９２ｃは、冷気が流れる貫通穴を有している。図示されるように、第１の実施形態では、冷気案内部９２ｃは、冷蔵庫１の側部との間に冷気が流れる貫通穴が構成される切欠部である。
【００３０】
仕切壁下部部材９１ｂは、後述する仕切壁断熱シート３０１よりも断熱性が小さい材料（例えば一般的な合成樹脂）で形成されている。仕切壁下部部材９１ｂは、板部９３ａと、１つ以上の冷気案内部９３ｃとを有する。板部９３ａは、水平に延びており、野菜室８２の天井壁を形成している。板部９３ａは、仕切壁上部部材９１ａの下方に位置し、仕切壁上部部材９１ａとの間には空間が存在する。
【００３１】
冷気案内部９３ｃは、冷気案内部９２ｃに対応する位置に設けられている。冷気案内部９３ｃは、冷気が流れる貫通穴を有している。図示されるように、第１の実施形態では、冷気案内部９３ｃは、冷蔵庫１の側部との間に冷気が流れる貫通穴が構成される切欠部である。
【００３２】
仕切壁上部部材９１ａと、仕切壁下部部材９１ｂとのそれぞれは、例えば、図示されるように、合成樹脂等の部材で形成される薄板状の部材である。
【００３３】
仕切壁断熱シート３０１は、例えば、後述する断熱材２１０（以下では、説明の便宜上、「特定断熱材２１０」と称する）で形成されており、接着剤や両面テープで、仕切壁上部部材９１ａの板部９２ａの第１領域９２ａ１の下面に接着されている。本実施形態では、仕切壁断熱シート３０１は、仕切壁上部部材９１ａの板部９２ａの第２領域９２ａ２には設けられていない。仕切壁上部部材９１ａの板部９２ａの第１領域９２ａ１と、仕切壁断熱シート３０１と、仕切壁下部部材９１ｂの第１領域９２ａ１に対応する部分は、「第２貯蔵部の下方に位置した第１領域」の一例を構成する。仕切壁上部部材９１ａの板部９２ａの第２領域９２ａ２は、「第１領域よりも前側に位置した第２領域」の一例を構成する。
【００３４】
特定断熱材２１０は、エアロゲル、キセロゲル、またはクライオゲルを含む断熱材である。なお「エアロゲル、キセロゲル、またはクライオゲルを含む」とは、「エアロゲル、キセロゲル、またはクライオゲルのうち１つ以上を含む」の意味で用いている。エアロゲル、キセロゲル、およびクライオゲルは、それぞれ、低密度構造体（乾燥ゲル）である。「エアロゲル」とは、例えば、ゲル中に含まれる溶媒を超臨界乾燥により気体に置換した多孔性物質である。「キセロゲル」とは、ゲル中に含まれる溶媒を蒸発乾燥により気体に置換した多孔性物質である。「クライオゲル」とは、ゲル中に含まれる溶媒を凍結乾燥により気体に置換した多孔性物質である。
【００３５】
なお、エアロゲルのなかには、例えば特定の元素を導入することで、超臨界乾燥を使わずに乾燥させることができるものも存在する。本明細書でいう「エアロゲル」とは、そのようなエアロゲルも含む。すなわち本明細書でいう「エアロゲル」とは、超臨界乾燥を用いて製造されたものに限定されず、「エアロゲル」として流通する各種素材を広く意味する。超臨界乾燥が不要なエアロゲルとしては、例えば、二酸化ケイ素の分子ネットワークにメチル基などの有機鎖が導入された有機−無機ハイブリッドエアロゲルが知られており、ＰＭＳＱ（ＣＨ３ＳｉＯ１．５）エアロゲルなどがある。ただし、これらはあくまで例示である。
【００３６】
エアロゲル、キセロゲル、およびクライオゲルは、微細な空孔（空隙）を多数持ち、極めて高い空隙率（９０％以上、好ましくは９５％以上の空隙率）を持つ超低密度の乾燥多孔体である。上記乾燥多孔体の密度は、例えば１５０ｍｇ／ｃｍ３以下である。エアロゲル、キセロゲル、およびクライオゲルは、例えば、二酸化ケイ素などが数珠状に結合された構造を持ち、ナノメータレベル（例えば１００ｎｍ以下、好ましくは２ｎｍ〜５０ｎｍ）の空隙を多数持つ。このようにナノメータレベルの細孔と格子状構造を持つため、気体分子の平均自由行程を縮小することができ、常圧でも気体分子同士の熱伝導が非常に少なく、熱伝導率が非常に小さいものである。例えば、エアロゲル、キセロゲル、およびクライオゲルは、空気の平均自由行程より小さな微細な空隙を持つ。
【００３７】
エアロゲル、キセロゲル、およびクライオゲルとしては、ケイ素、アルミニウム、鉄、銅、ジルコニウム、ハフニウム、マグネシウム、イットリウムなどの金属酸化物からなる無機エアロゲル、無機キセロゲル、または無機クライオゲルでもよく、例えば二酸化ケイ素を含むシリカエアロゲル、シリカキセロゲル、またはシリカクライオゲルなどでもよい。これらは、直径１０ｎｍ〜２０ｎｍのシリカ（ＳｉＯ２）微粒子が連なった構造で、数１０ｎｍの幅の細孔を持つ。低密度のため固体部分の熱伝導が極めて小さいことに加え、細孔内部の空気の運動が制限されることから、非常に低い熱伝導率（０．０１２〜０．０２Ｗ（ｍ・Ｋ）を示す。さらに、シリカ微粒子や細孔が可視光の波長よりも小さく、可視光を散乱しないため、光透過性が高い。特定断熱材２１０のエアロゲル、キセロゲル、またはクライオゲルの素材としては光透過性を持つ素材（例えば透明な素材）が採用されてもよいし、光透過性を持たない素材が採用されてもよい。また、エアロゲル、キセロゲル、およびクライオゲルを構成する素材は、カーボンなどでもよい。
【００３８】
エアロゲル、キセロゲル、およびクライオゲルは、素材を選択することで、任意の性質（例えば弾性や柔軟性）を持たせることができる。例えば、ポリプロピレンを素材とすることで、高い弾性または柔軟性を持たせることができる。
【００３９】
エアロゲル、キセロゲル、およびクライオゲルは、それぞれ単体で特定断熱材２１０を形成してもよい。これに代えて、エアロゲル、キセロゲル、およびクライオゲルは、それぞれ前駆体の状態で別の素材（例えば繊維構造物）が浸漬されることで複合体断熱材である特定断熱材２１０を形成してもよい。このような繊維構造物は、乾燥ゲルを補強し、また支持するための補強材ないし支持体として作用するものであり、フレキシブルな複合体断熱材を得るためにフレキシブルな織布、編布、不織布などが用いられ、より好ましくはフェルトまたはブランケット状のものが用いられる。繊維構造物の材質としては、ポリエステル繊維等の有機繊維の他、ガラス繊維などの無機繊維を用いることもできる。
【００４０】
上記繊維構造物は、例えば、天然高分子のキトサンである。特定断熱材２１０は、疎水化された微細なキトサン繊維の三次元網目構造を含み、超高空隙率（体積の９６〜９７%が空隙）を持つ。疎水化によって、親水性キトサンエアロゲルの均質なナノ構造を維持しつつ、多糖類のナノ繊維からなる材料の課題である耐湿性が高められ、撥水性を持つ。
【００４１】
特定断熱材２１０は、例えば、ポリプロピレン発泡体と、シリカエアロゲル、キセロゲル、クライオゲルから選択される１つとを複合化した断熱材であってもよい。
【００４２】
特定断熱材２１０の熱伝導率は、真空断熱材の熱伝導率よりも高いが、発泡ウレタンなどの発泡断熱材の熱伝導率よりも低い。すなわち、特定断熱材２１０の断熱性は、真空断熱材の断熱性には及ばないが、発泡断熱材の断熱性よりも優れている。特定断熱材２１０の熱伝導率は、例えば、０．０１０Ｗ／ｍ・Ｋ〜０．０１５Ｗ／ｍ・Ｋである。真空断熱材の熱伝導率は、例えば、０．００３Ｗ／ｍ・Ｋ〜０．００５Ｗ／ｍ・Ｋである。発泡断熱材の熱伝導率は、例えば、０．０２０Ｗ／ｍ・Ｋ〜０．０２２Ｗ／ｍ・Ｋである。なお、これら数値はあくまで例示である。
【００４３】
特定断熱材２１０が柔軟性を有する場合、特定断熱材２１０の柔軟性（曲げやすさ）は、例えば、前記真空断熱材の柔軟性よりも高く、前記発泡断熱材の柔軟性よりも高い。また、特定断熱材２１０が弾性を有する場合、特定断熱材２１０の弾性は、例えば、前記真空断熱材の弾性（実質的にゼロに近い）よりも高く、前記発泡断熱材の弾性（実質的にゼロに近い）よりも高い。
【００４４】
仕切壁断熱シート３０１は、シート状に形成され、例えば柔軟性（可撓性）を有する。仕切壁断熱シート３０１は、仕切壁上部部材９１ａの下面の形状に応じて変形させられて仕切壁上部部材９１ａの下面に取り付けられている。また仕切壁断熱シート３０１は、例えば、図５に示されるように、リブ９２ｂに対応する、横幅方向に細長い穴部３０１ａを備える。仕切壁断熱シート３０１が、仕切壁上部部材９１ａの下面に接着された状態で、リブ９２ｂは、穴部３０１ａを下方に貫通する。仕切壁断熱シート３０１が下面に張り付けられた仕切壁上部部材９１ａは、仕切壁下部部材９１ｂの上に重ねられて、図示しない係合手段により互いに係合されることにより、仕切壁９１を構成する。
【００４５】
上記述べたように、１対の冷気案内部９２ｃと冷気案内部９３ｃとによって、前側通気口９４ｃが構成される。前側通気口９４ｃは、仕切壁上部部材９１ａと仕切壁下部部材９１ｂとを貫通する切欠き部であり、前側通気口９４ｃによって、冷蔵室８１と野菜室８２とが連通する。また、仕切壁９１は、同様に、奥行方向の奥側の１つ以上の角部が、切欠状に形成されて後側通気口９４ｂを構成する。後側通気口９４ｂは、仕切壁上部部材９１ａと仕切壁下部部材９１ｂとを貫通する切欠き部であり、後側通気口９４ｂによって、冷蔵室８１と野菜室８２とが連通する。仕切壁９１は、前側通気口９４ｃと後側通気口９４ｄのうち、少なくともいずれか１つ以上を備えればよい。
【００４６】
第１の実施形態の冷蔵庫１によれば、仕切壁断熱シート３０１が、チルド室８１ｃの真下にだけ（板部９２ａの第１領域９２ａ１）に設けられているので、冷蔵温度帯（例えば、１〜５℃）よりも低温であるチルド温度帯（例えば、０〜１℃）に保たれるチルド室８１ｃの温度が、野菜室８２に伝わることを抑制することができる。つまり、第１の実施形態の冷蔵庫１によれば、チルド室８１ｃの温度によって、野菜室８２のなかで局所的に冷え過ぎる部分が生じるのを抑制することができる。また、チルド室８１ｃの温度が野菜室８２に伝わりにくくなると、野菜室８２の天井壁に結露が生じにくくなる。
【００４７】
一方、板部９２ａの第２領域９２ａ２には、仕切壁断熱シート３０１が設けられていない。このため、通常冷蔵室８１ａの温度によって、野菜室８２が効率的に冷やされることができるので、冷蔵庫１の省エネ性を向上させることができる。
【００４８】
尚、仕切壁断熱シート３０１は、仕切壁上部部材９１ａの下面に取り付けられることに代えて、仕切壁上部部材９１ａの上面に取り付けられてもよく、仕切壁下部部材９１ｂの上面に取り付けられてもよく、仕切壁下部部材９１ｂの下面に取り付けられてもよい。
【００４９】
（第１の実施形態の変形例）
図６は、第１の実施形態の変形例の冷蔵庫１Ａを示す断面図である。第１の実施形態の第１の変形例の冷蔵庫１Ａは、第１の実施形態の冷蔵庫１と同様の構成を有するが、仕切壁９１の代わりに、仕切壁９１Ａを備える点が、第１の実施形態の冷蔵庫１と異なる。
【００５０】
仕切壁９１Ａは、チルド室８１ｃの下方に位置した第１領域９１Ａ１と、チルド室８１ｃの下方を外れた（例えば、チルド室８１ｃよりも前側に位置した）第２領域９１Ａ２とを有する。つまり、第２領域９１Ａ２は、冷蔵庫１Ａの奥行方向において、第１領域９１Ａ１に対して前側に位置している。第１の実施形態の第１の変形例では、第１領域９１Ａ１と第２領域９１Ａ２との両方が特定断熱材２１０で形成されている。
【００５１】
したがって、仕切壁９１Ａは、仕切壁断熱シート３０１が張り付けられなくとも、仕切壁９１Ａは断熱性を有する。仕切壁９１Ａは、「仕切り部」の一例である。
【００５２】
第１の実施形態の変形例の冷蔵庫１Ａによれば、上述した第１の実施形態の冷蔵庫１と同様の効果（チルド室８１ｃからの断熱や結露抑制）を得ることができることに加え、仕切壁９１Ａの構造を簡易にすることができ、製造工程を簡略化することができる。
【００５３】
尚、仕切壁９１Ａにおいて、第１領域９１Ａ１だけが特定断熱材２１０で形成され、第２領域９１Ａ２は合成樹脂等で形成されてもよい。この場合、通常冷蔵室８１ａの温度によって、第２領域９１Ａ２を通じて、野菜室８２が効率的に冷やされることができるので、冷蔵庫１Ａの省エネ性を向上させることができる。
【００５４】
（第２の実施形態）
図７は、第２の実施形態の冷蔵庫１Ｂを示す断面図である。第２の実施形態の冷蔵庫１Ｂは、第１の実施形態の冷蔵庫１と同様に構成されるが、第２の実施形態の冷蔵庫１Ｂにおいては、チルド室上面仕切部９６の代わりに、チルド室上面仕切部９６ａを備える点と、チルド室蓋９８を備える点が第１の実施形態の冷蔵庫１と異なる。本実施形態では、チルド室上面仕切部９６ａ、チルド室蓋９８、およびそれらに取り付けられた断熱シート３０３，３０４によって、冷蔵室８１の内部を、通常冷蔵室８１ａとチルド室８１ｃとに少なくとも仕切る「第１仕切り部」の一例が構成される。
【００５５】
第２の実施形態の冷蔵庫１Ｂにおいては、チルドケース４１と、チルド室上面仕切部９６ａと、チルド室蓋９８と、仕切壁断熱シート３０３と、仕切壁断熱シート３０４とが備えられる。
【００５６】
チルド室上面仕切部９６ａは、通常冷蔵室８１ａとチルド室８１ｃとの間において、略水平に延び、チルド室８１ｃの天井壁（天井部）を形成する。チルド室蓋９８は、チルド室８１ｃの前側に位置しており、例えば、チルド室上面仕切部９６ａの前側上端部に開閉可能に連結されることにより、チルド室８１ｃを開閉可能に閉じる。
【００５７】
チルド室８１ｃは、チルド室上面仕切部９６ａと、チルド室蓋９８とによって、通常冷蔵室８１ａから仕切られている。チルド室８１ｃの内部には、出し入れ可能に設けられたチルドケース４１が設けられている。
【００５８】
チルド室上面仕切部９６ａと、チルド室蓋９８とは、例えば、合成樹脂等の部材で形成されている。仕切壁断熱シート３０３は、例えば、特定断熱材２１０で形成されており、接着剤や両面テープで、チルド室上面仕切部９６ａの下面に接着されている。
【００５９】
同様に、仕切壁断熱シート３０４は、例えば、特定断熱材２１０で形成されており、接着剤や両面テープで、チルド室蓋９８の内側の面（チルド室８１ｃの内部に露出する面）に接着されている。
【００６０】
本実施形態では、チルド室上面仕切部９６ａと、チルド室蓋９８と、仕切壁断熱シート３０３と、仕切壁断熱シート３０４とによって、冷蔵室８１の内部を、通常冷蔵室８１ａとチルド室８１ｃとに少なくとも仕切る「第１仕切り部」の一例が構成される。仕切壁断熱シート３０３とチルド室上面仕切部９６ａとによって、「前記第１貯蔵部と前記第２貯蔵部との間に位置し、前記第２貯蔵部の天井部を形成した天井板部」の一例が構成される。仕切壁断熱シート３０４とチルド室蓋９８とは、「前記第２貯蔵部の前側に位置し、前記第２貯蔵部を開閉可能に閉じる蓋」の一例が構成される。
【００６１】
尚、チルド室上面仕切部９６ａとチルド室蓋９８は、特定断熱材２１０で形成されていてもよい。この場合、チルド室上面仕切部９６ａは「天井板部」の一例であり、「天井板部」の全厚が特定断熱材２１０により形成されることになる。これにより、仕切壁断熱シート３０３と仕切壁断熱シート３０４を張り付けなくとも、チルド室上面仕切部９６ａとチルド室蓋９８は断熱性を有する。これにより、上述した効果を得ることができることに加え、チルド室上面仕切部９６ａとチルド室蓋９８の構造を簡易にすることができ、製造工程を簡略化することができる。
【００６２】
（第３の実施形態）
図８は、第３の実施形態の冷蔵庫１Ｃを示す断面図である。第３の実施形態の冷蔵庫１Ｃにおいては、チルド室８１ｃに２段式のトレイ（チルドケース）が備えられる点と、チルド用冷気供給口６５が冷蔵用冷却器室６１の前壁部６３（チルド室８１ｃの後壁部）に設けられている点が、第２の実施形態の冷蔵庫１Ｂと異なる。
【００６３】
第３の実施形態の冷蔵庫１Ｃにおいては、上段チルドケース４１ａと、下段チルドケース４１ｂと、チルド室上面仕切部９６ａと、チルド室蓋９８と、仕切壁断熱シート３０５と、仕切壁断熱シート３０６と、仕切壁断熱シート３０７とが備えられている。チルド室８１ｃは、チルド室上面仕切部９６ａと、チルド室蓋９８とによって、通常冷蔵室８１ａから仕切られている。
【００６４】
チルド室８１ｃの内部には、出し入れ可能に設けられた上段チルドケース４１ａと、下段チルドケース４１ｂとが設けられている。上段チルドケース４１ａは、下段チルドケース４１ｂの上方に配置されている。少なくとも、チルド室上面仕切部９６ａと、チルド室蓋９８と、上段チルドケース４１ａとは、例えば、合成樹脂等の部材で形成されている。下段チルドケース４１ｂも、例えば、合成樹脂等の部材で形成されている。
【００６５】
仕切壁断熱シート３０５と、仕切壁断熱シート３０６と、仕切壁断熱シート３０７は、例えば、特定断熱材２１０で形成されている。仕切壁断熱シート３０５、仕切壁断熱シート３０６、および仕切壁断熱シート３０７の各々は、シート状に形成され、柔軟性を有する。接着剤や両面テープで、仕切壁断熱シート３０５は、チルド室上面仕切部９６ａの下面に接着され、仕切壁断熱シート３０６は、チルド室蓋９８の裏面に接着され、仕切壁断熱シート３０７は、上段チルドケース４１ａの底部の下面に接着される。例えば、仕切壁断熱シート３０７の少なくとも一部は、上段チルドケース４１ａの底部の曲面部に応じて変形されて、上段チルドケース４１ａの底部の曲面部に取り付けられている。
【００６６】
本実施形態では、下段チルドケース４１ｂにより、「第１トレイ」の一例が構成される。上段チルドケース４１ａと仕切壁断熱シート３０７とにより、「第２トレイ」の一例が構成される。上段チルドケース４１ａの底部４１ａａと、仕切壁断熱シート３０７のなかで上記底部４１ａａに取り付けられた部分は、第２トレイの底部の一例を構成する。
【００６７】
詳しく述べると、上段チルドケース４１ａは、例えば、底部４１ａａ、後壁４１ａｂ、前壁４１ａｃ、左右の側壁（左側壁４１ａｄのみ図示）を有し、上方が開放された椀状に形成されている。底部４１ａａは、水平に延びて、上段チルドケース４１ａの内部（収容空間）と、下段チルドケース４１ｂの内部（収容空間）との間に位置する。後壁４１ａｂは、底部４１ａａの後端部から起立している。後壁４１ａｂは、底部４１ａａ、前壁４１ａｃ、および左右の側壁と比べて、チルド用冷気供給口６５に近い壁部である。前壁４１ａｃは、底部４１ａａの前端部から起立している。左右の側壁は、底部４１ａａの左右の端部から起立している。
【００６８】
チルド用冷気供給口６５は、冷蔵用冷却器室６１の前壁部６３（チルド室８１ｃの後壁部）に設けられている。本実施形態では、チルド用冷気供給口６５は、上段チルドケース４１ａの後方に設けられている。例えば、チルド用冷気供給口６５は、冷蔵庫１の上下方向において、上段チルドケース４１ａの底部４１ａａに対して、下段チルドケース４１ｂとは反対側に位置する。
【００６９】
仕切壁断熱シート３０７は、例えば、底部４１ａａの下面に接着され、底部４１ａａの略全域を覆う。一方で、後壁４１ａｂの一部（例えばチルド用冷気供給口６５に近い領域を含む半分以上）は、仕切壁断熱シート３０７には覆われていない。このため、チルド用冷気供給口６５からチルド室８１ｃに供給された冷気は、上段チルドケース４１ａの内部を効率的に冷却することができる。
【００７０】
ただし、仕切壁断熱シート３０７は、後壁４１ａｂに取り付けられ、後壁４１ａｂの略全域を覆ってもよい。この場合、チルド用冷気供給口６５の冷気が上段チルドケース４１ａの内部に過度に伝わりやすくなく、上段チルドケース４１ａにおいて後壁４１ａｂの近くが局所的に冷えすぎることを抑制することができる。
【００７１】
図示されるように、冷蔵用送風ファン６４から取り込まれて冷蔵用冷却器６２で冷却された冷気は、チルド用冷気供給口６５から、第１温度でチルド室８１ｃの上段チルドケース４１ａの近くに吹き出す。上段チルドケース４１ａを冷却した冷気の一部は、上段チルドケース４１ａの食品などの貯蔵物を冷却し、貯蔵物との熱交換により温度が上昇する。その後、冷気は、チルド室蓋９８に沿って流れ、第１温度より高い第２温度で下段チルドケース４１ｂに流入し、下段チルドケース４１ｂの貯蔵物を冷却する。その後、冷気は、冷蔵用送風ファン６４に吸引されて、野菜室８２の背後を通って、冷蔵室吸込口３６から冷蔵用冷却器６２に戻る。
【００７２】
第３の実施形態の冷蔵庫１Ｃによれば、上述した第２の実施形態の冷蔵庫１Ｂと同様の効果を得ることができることに加え、上段チルドケース４１ａの断熱性を高めることにより、上段チルドケース４１ａと下段チルドケース４１ｂとに温度差をつけることができる。つまり、上段チルドケース４１ａを下段チルドケース４１ｂよりも低温に保つことがでる。これにより、肉や魚介類などの解凍状態で保存すると傷みやすい食品を上段チルドケース４１ａに保存し、凍らせずに保存しておきたい生鮮食品は、下段チルドケース４１ｂに保存するといったように、食品の種類によって、上段チルドケース４１ａと下段チルドケース４１ｂとを使い分けることができる。
【００７３】
尚、上述した各変形例と同様に、仕切壁断熱シート３０５と、仕切壁断熱シート３０６と、仕切壁断熱シート３０７を張り付けるかわりに、チルド室上面仕切部９６ａと、チルド室蓋９８と、上段チルドケース４１ａとを特定断熱材２１０によって形成してもよい。この場合、第３の実施形態の冷蔵庫１Ｈの効果に加え、上述した各変形例の冷蔵庫と同様の効果を得ることができる。
【００７４】
また、チルド用冷気供給口６５は、上段チルドケース４１ａの後方に設けられることに代えて、下段チルドケース４１ｂの後方に設けられてもよい。この場合、チルド用冷気供給口６５は、冷蔵庫１の上下方向において、上段チルドケース４１ａの底部４１ａａに対して、上段チルドケース４１ａとは反対側に位置する。この場合、下段チルドケース４１ｂを上段チルドケース４１ａよりも低温に保つことができる。
【００７５】
（第４の実施形態）
図９は、第４の実施形態の冷蔵庫１Ｄを示す断面図である。第４の実施形態の冷蔵庫１Ｄは、第１の実施形態の冷蔵庫１と同様に構成されるが、冷蔵庫１Ｄにおいては、製氷用給水タンク室８１ｂおよびチルド室８１ｃとの間の製氷用給水タンク室仕切壁９７が合成樹脂等の部材で形成されており、製氷用給水タンク室仕切壁９７の製氷用給水タンク室８１ｂ側に、仕切壁断熱シート３０８が備えられている点が第１の実施形態の冷蔵庫１と異なる。製氷用給水タンク室仕切壁９７と、仕切壁断熱シート３０８とによって、製氷用給水タンク５１０とチルド室８１ｃとの間に配置された「側板」の一例が構成される。製氷用給水タンク５１０により、製氷用の水が貯蔵される「貯水容器」の一例が構成される。
【００７６】
また、製氷用給水タンク室仕切壁９７（小冷凍室８４の左側の壁）と、筐体１０の右側壁１５の内面（チルド室８１ｃの右側の壁）には、チルドケース４１の前後方向の移動をガイドするレールであるチルド室突起部１３１、１３２がそれぞれ備えられている。
【００７７】
仕切壁断熱シート３０８は、例えば、特定断熱材２１０で形成されており、接着剤や両面テープで、製氷用給水タンク室仕切壁９７の製氷用給水タンク室８１ｂ側に接着される。仕切壁断熱シート３０８は、製氷用給水タンク室仕切壁９７の略全高に亘る高さを持ち、製氷用給水タンク室仕切壁９７の略全長に亘る長さを持つ。
【００７８】
第４の実施形態の冷蔵庫１Ｄによれば、チルド室８１ｃの冷気によって、製氷用給水タンク室８１ｂの製氷用給水タンク５１０内の水の凍結を抑制することができるので、製氷用給水タンク５１０の下にヒータなどを設ける必要が無くなり、冷蔵庫１Ｄの低コスト化を図ることができる。
【００７９】
尚、仕切壁断熱シート３０８は、製氷用給水タンク室仕切壁９７の製氷用給水タンク室８１ｂとは反対側（つまり、製氷用給水タンク室仕切壁９７の、チルド室８１ｃに対向する面）に備えられていてもよい。また、仕切壁断熱シート３０８は、製氷用給水タンク室仕切壁９７の製氷用給水タンク室８１ｂ側と、製氷用給水タンク室仕切壁９７の製氷用給水タンク室８１ｂとは反対側の両方に備えられていてもよい。
【００８０】
尚、製氷用給水タンク室仕切壁９７は、特定断熱材２１０で形成されていてもよく、この場合、仕切壁断熱シート３０８を張り付けなくとも、製氷用給水タンク室仕切壁９７は断熱性を有する。これにより、上述した効果を得ることができることに加え、製氷用給水タンク室仕切壁９７の構造を簡易にすることができ、製造工程を簡略化することができる。
【００８１】
（第５の実施形態）
図１０は、第５の実施形態の冷蔵庫１Ｅを示す断面図である。第５の実施形態の冷蔵庫１Ｅは、第１の実施形態の冷蔵庫１と同様に構成されるが、冷蔵庫１Ｅにおいては、冷気が強く当たる容器の奥側の部分に、断熱シート３０９，３１０，３１１が備えられている点が第１の実施形態の冷蔵庫１と異なる。
【００８２】
断熱シート３０９と、断熱シート３１０と、断熱シート３１１とは、特定断熱材２１０で形成されている。断熱シート３０９、断熱シート３１０、および断熱シート３１１は、シート状に形成され、柔軟性を有する。第１野菜室容器４２と、第２野菜室容器４３と、小冷凍室容器４５とのそれぞれは、例えば合成樹脂等の部材で形成されている。
【００８３】
第１野菜室容器４２と、第２野菜室容器４３と、小冷凍室容器４５とのそれぞれは、底壁部、前壁部、左壁部、右壁部、後壁部を有しており、断熱シート３０９と、断熱シート３１０と、断熱シート３１１とが、図示されるように、第１野菜室容器４２と、第２野菜室容器４３と、小冷凍室容器４５とのそれぞれの容器において、後壁部と、底壁部の中心よりも後側とに、接着剤や両面テープで接着されている。断熱シート３０９と、断熱シート３１０と、断熱シート３１１とが張り付けられる場所は特に限定されず、冷気が強くあたる箇所に、張り付けられることが好ましい。
【００８４】
上記説明したように、野菜室８２には、冷蔵室８１から仕切壁９１の後側通気口９４ｂを介して冷気が流入する。そのため、第１野菜室容器４２の背面部と、第２野菜室容器４３の背面部とに低温の冷気が流れ、これらの背面部においては、第１野菜室容器４２と第２野菜室容器４３における背面部以外の位置と比較して、食品がより低温に晒されやすい。また、上記説明したように、冷凍用冷却器７２により生成された冷気が、冷気吹出口７７から小冷凍室８４内に供給されるので、小冷凍室容器４５の背面部に低温の冷気が流れ、この背面部においては、小冷凍室容器４５における背面部以外の位置と比較して、食品がより低温に晒されやすい。
【００８５】
したがって、第５の実施形態の冷蔵庫１Ｅにおいては、第１野菜室容器４２と、第２野菜室容器４３と、小冷凍室容器４５とのそれぞれにおいて、背面部および底壁部の中心よりも後側に、断熱シート３０９と、断熱シート３１０と、断熱シート３１１をそれぞれ接着することにより、これらの背面部の食品を吹き出された冷気による低温に晒されることを抑制することができる。
【００８６】
第５の実施形態の冷蔵庫１Ｅによれば、冷気が強く当たる容器の背面部および底壁部の中心よりも後側に仕切壁断熱シート３０９，３１０，３１１が貼られているので、野菜室８２や小冷凍室８４において、奥側の食品だけ過度に冷却されてしまうということを抑制することができる。
【００８７】
（第６の実施形態）
図１１は、第６の実施形態の冷蔵庫１Ｆを示す断面図（図１のＦ１１−Ｆ１１に対応する断面）である。第６の実施形態の冷蔵庫１Ｆは、第１の実施形態の冷蔵庫１と同様に構成されるが、仕切壁９５の代わりに仕切壁９５Ｆを備える点と、仕切壁９５Ｆにおける給水パイプ５２２のまわりにおいて、仕切壁９５Ｆに断熱シート３１２が張り付けられている点が、第１の実施形態の冷蔵庫１と異なる。
【００８８】
以下、製氷用給水タンクモジュール５００から自動製氷モジュール５３０への給水パイプ５２２を介した給水について説明する。冷蔵室８１の製氷用給水タンク室８１ｂには、製氷用給水タンクモジュール５００が備えられている。製氷用給水タンクモジュール５００は、製氷用給水タンク５１０、水受け容器５１２、給水機構５１４、汲上パイプ５２０、給水パイプ５２２を備える。製氷用給水タンク室８１ｂの後方には、図示されるように、水受け容器５１２が設置されている。
【００８９】
製氷用給水タンク室８１ｂと水受け容器５１２との間には、製氷用給水タンク室８１ｂの製氷用給水タンク５１０の水を水受け容器５１２へ供給するための給水機構５１４が設けられている。給水機構５１４は、例えばポンプ用モータ５１６によって駆動されるポンプ５１８の動作によって製氷用給水タンク５１０内の水を汲み上げ、汲み上げた水を汲上パイプ５２０により水受け容器５１２に供給する。水受け容器５１２に供給された水は、給水パイプ５２２を介して、製氷室８３の自動製氷モジュール５３０の製氷皿５３４へ供給される。自動製氷モジュール５３０は、「製氷機ユニット」の一例である。給水パイプ５２２は、製氷用給水タンク５１０（貯水容器）に貯蔵された水を、自動製氷モジュール５３０（製氷機ユニット）に向けて導く「給水管部」の一例である。尚、「給水管部」は、給水パイプに代えて、ホース等でもよい。
【００９０】
給水パイプ５２２は、給水パイプ垂直部５２２ａ、給水パイプ傾斜部５２２ｂ、および給水パイプ出口部５２２ｃを備える。給水パイプ垂直部５２２ａは、その上流端が水受け容器５１２に接続し、略鉛直方向に延在するパイプ部分である。給水パイプ傾斜部５２２ｂは、その上流端が、給水パイプ垂直部５２２ａの下流端に接続し、冷蔵庫１の奥行方向手前側に向かって徐々に下がるように傾斜したパイプ部分である。給水パイプ出口部５２２ｃは、その上流端が、給水パイプ傾斜部５２２ｂの下流端に接続する。給水パイプ出口部５２２ｃは、略垂直方向に仕切壁９５Ｆを貫通している。給水パイプ出口部５２２ｃの下流端は、自動製氷モジュール５３０の製氷皿５３４の上方に位置し、給水パイプ５２２を通じて供給された水が製氷皿５３４に注がれるように構成されている。
【００９１】
図１２は、第６の実施形態の冷蔵庫１Ｆの仕切壁９５Ｆの上面図である。図示されるように、製氷用給水タンクモジュール５００から供給された水は、給水パイプ５２２の給水パイプ垂直部５２２ａと給水パイプ傾斜部５２２ｂとを通って、給水パイプ出口部５２２ｃから、自動製氷モジュール５３０の製氷皿５３４の上に供給される。この時、仕切壁９５Ｆに対して上側は、冷蔵温度帯の野菜室８２であり、仕切壁９５Ｆに対して下側は、冷凍温度帯の製氷室８３である。自動製氷モジュール５３０は、製氷室８３に設けられている。このため、製氷室８３の冷気によって、製氷用給水タンクモジュール５００から自動製氷モジュール５３０への給水パイプ５２２を介した給水が凍結する恐れがある。
【００９２】
製氷室８３、小冷凍室８４、並びに主冷凍室８５は、いずれも冷凍温度帯（例えば、−１０〜−２０℃のマイナス温度帯）の貯蔵室であり、野菜室８２と、製氷室８３及び小冷凍室８４との間は、仕切壁９５Ｆにより上下に仕切られている。図１に示すように、製氷室８３の前面部には、引出し式の製氷室扉２４が設けられており、その製氷室扉２４の背面部に製氷室容器４４（図３参照）が連結されている。小冷凍室８４の前面部にも、小冷凍室容器４５が連結された引出し式の小冷凍室扉２５が設けられている。つまり、製氷室８３（第３貯蔵室）は、冷蔵室８１（第１貯蔵室）の冷蔵温度帯よりも低い冷凍温度帯に冷却される。
【００９３】
第６の実施形態の冷蔵庫１Ｆにおいては、仕切壁９５Ｆの上面に、断熱シート３１２が張り付けられている。すなわち、断熱シート３１２は、製氷用給水タンク５１０と、自動製氷モジュール５３０との間に設けられている。
【００９４】
断熱シート３１２は、特定断熱材２１０により形成されている。断熱シート３１２は、シート状に形成され、柔軟性を有する。仕切壁断熱シート３１２には、給水パイプ挿通穴部３１２ｂが設けられており、更に、スリット３１２ａが給水パイプ挿通穴部３１２ｂにつながるように設けられている。スリット３１２ａは、給水パイプ挿通穴部３１２ｂと、断熱シート３１２の外縁３１２ｃとをつなぐ。これにより、給水パイプ５２２が設置された後であっても、スリット３１２ａに給水パイプ５２２を押し込むことにより、給水パイプ５２２の給水パイプ出口部５２２ｃを給水パイプ挿通穴部３１２ｂに通して、断熱シート３１２に給水パイプ５２２を通すように設置することができる。
【００９５】
つまり、断熱シート３１２は、スリット３１２ａに給水パイプ５２２を通すことで、製氷用給水タンク５１０と自動製氷モジュール５３０との間に配置可能である。断熱シート３１２は、製氷用給水タンク５１０（貯水容器）と自動製氷モジュール５３０（製氷機ユニット）との間に位置した「断熱部材の一例」である。
【００９６】
断熱シート３１２の給水パイプ挿通穴部３１２ｂに給水パイプ５２２を通した後、仕切壁９５Ｆの上面に、接着剤や両面テープで、断熱シート３１２が張り付けることができる。給水パイプ挿通穴部３１２ｂは、穴部の一例である。なお、断熱シート３１２は、給水パイプ５２２が通される穴部に代えて、給水パイプ５２２が通される切欠き部を有してもよい。
【００９７】
断熱シート３１２の大きさは、好ましくは、仕切壁９５Ｆの略全体を覆う程度の大きさである。断熱シート３１２の大きさは、仕切壁９５Ｆの一部を覆う大きさであってもよい。
【００９８】
断熱シート３１２は、仕切壁９５Ｆの上面に取り付けられることに代えて、仕切壁９５Ｆの下面に設けられていてもよい。断熱シート３１２は、仕切壁９５Ｆの上面と下面のいずれか１つ以上の面に設けられていてもよい。
【００９９】
第６の実施形態の冷蔵庫１Ｆにおいては、仕切壁９５Ｆの上面に、断熱シート３１２が張り付けられているので、製氷室８３の冷気によって、製氷用給水タンクモジュール５００から自動製氷モジュール５３０への給水パイプ５２２を介した給水を凍結させることを抑制することができる。このため、給水パイプ５２２などの近くに配置されるヒータを省略または小型化することができ、冷蔵庫１Ｆの低コスト化を図ることができる。
【０１００】
（第７の実施形態）
図１３は、第７の実施形態の冷蔵庫１Ｇの小冷凍室扉２５Ｇと仕切壁９５Ｇを示す断面図である。第7の実施形態の冷蔵庫１Ｇは、第１の実施形態の冷蔵庫１と同様に構成されるが、仕切壁９５の代わりに仕切壁９５Ｇを備える点とが、第１の実施形態の冷蔵庫１と異なる。
【０１０１】
小冷凍室８４の前面開口部８４ａは、引き戸式の小冷凍室扉２５Ｇによって開閉可能に閉じられる。小冷凍室扉２５Ｇは、サッシ６１２、外板６１０、内板６１４、ガスケット６５０、および断熱材６７０を備える。サッシ６１２は、小冷凍室扉２５Ｇの外枠を構成する。外板６１０は、小冷凍室扉２５Ｇの前面側を構成する。内板６１４は、小冷凍室扉２５Ｇの背面側を構成する。ガスケット６５０は、小冷凍室扉２５Ｇの背面部周縁に備えられている。
【０１０２】
小冷凍室扉２５Ｇの閉扉時には、ガスケット６５０は、小冷凍室扉２５Ｇの背面部と小冷凍室８４の前面開口部８４ａの周縁との間を気密に密閉する。小冷凍室扉２５Ｇは、図示しないレールによって擦動可能に冷蔵庫１Ｇの筐体１０に支持されている。
【０１０３】
内板６１４は、小冷凍室８４に露出する。外板６１０と内板６１４との間には、断熱材６７０が設けられている。断熱材６７０は、例えば、発泡ウレタンのような発泡断熱材を含む。内板６１４の周縁部には、取付凹溝６４８が設けられ、この取付凹溝６４８にガスケット６５０が装着される。ガスケット６５０はマグネット部６５２を有している。小冷凍室扉２５Ｇの閉扉時には、マグネット部６５２が、小冷凍室８４の前面開口部８４ａの周縁の前面部材７００に吸着することで、小冷凍室扉２５Ｇの背面部と小冷凍室８４の前面開口部８４ａの周縁との間を気密に密閉する。
【０１０４】
野菜室８２と小冷凍室８４とを仕切る仕切壁９５Ｇは、内箱６９０、第１断熱部材６９４、第２断熱部材６９６、防露パイプ６９８、および前面部材７００を備える。仕切壁９５Ｇは、野菜室８２の底壁を形成し、小冷凍室８４の天井壁を形成する。内箱６９０は、仕切壁９５Ｇの外形を構成する合成樹脂性等の部材である。
【０１０５】
前面部材７００は、少なくとも一部が筐体１０の外部に露出する。防露パイプ６９８は、前面部材７００の背後に設けられている。防露パイプ６９８は、圧縮機５０により圧縮された冷媒の一部が供給され、前面部材７００を温める。第１断熱部材６９４と第２断熱部材６９６とは、防露パイプ６９８に対して前面部材７００とは反対側に設けられている。
【０１０６】
仕切壁９５Ｇの前端部に設けられている第１断熱部材６９４と、前面部材７００との間には、小冷凍室８４の前面開口部８４ａに対してガスケット６５０の吸着部より離れた位置に、防露パイプ６９８が仕切壁９５を幅方向に横断するように配設されている。防露パイプ６９８は、前面部材７００に熱を伝導することで、小冷凍室８４の前面開口部８４ａの周縁が結露するのを抑制している。
【０１０７】
内箱６９０の中には、冷蔵庫１Ｇの奥行方向の手前側に第１断熱部材６９４が設けられている。第１断熱部材６９４は、特定断熱材２１０で形成されており、弾性を有する。このような構成によれば、小冷凍室８４の温度が前面部材７００に伝わりにくくなり、前面部材７００の表面に結露が生じることを抑制することができる。前面部材７００は、「表面部品」の一例である。防露パイプ６９８は、「防露部品」の一例である。
【０１０８】
内箱６９０の中には、冷蔵庫１Ｇの奥行方向の奥側に第２断熱部材６９６が備えられる。第２断熱部材６９６は、特定断熱材２１０とは異なる材料で形成されており、例えば、発泡ウレタンのような発泡断熱材で形成されている。
【０１０９】
第１断熱部材６９４は、弾力性を持っている。第１断熱部材６９４は、防露パイプ６９８に対して前面部材７００とは反対側に位置する。言い換えると、第１断熱部材６９４は、防露パイプ６９８と第２断熱部材６９６との間に位置する。第１断熱部材６９４は、防露パイプ６９８と第２断熱部材６９６との間に挟まれて、防露パイプ６９８と第２断熱部材６９６との間で圧縮されている。第１断熱部材６９４は、例えば発泡断熱材である２断熱部材６９６が発泡することで、防露パイプ６９８と第２断熱部材６９６との間に挟まれて圧縮されている。第１断熱部材６９４は、圧縮による弾性力を防露パイプ６９８に作用させ、防露パイプ６９８を前面部材７００の背面に向けて押圧する。これにより、防露パイプ６９８が前面部材７００の背面に当接し、防露パイプ６９８と前面部材７００との熱接続性が向上する。その結果、防露パイプ６９８の熱が前面部材７００の裏面に伝わりやすくなる。これにより、前面部材７００の表面に結露が生じることをさらに高いレベルで抑制することができる。第１断熱部材６９４と第２断熱部材６９６とによって、「断熱部」の一例が構成される。第１断熱部材６９４は、「第１部分」の一例である。第２断熱部材６９６は、「第２部分」の一例である。
【０１１０】
第２断熱部材６９６は、弾性を有してもよい。この場合、第１断熱部材６９４は、第２断熱部材６９６よりも高い弾力性を持っていてもよい。この場合、より高い弾力性を持つ第１断熱部材６９４が防露パイプ６９８に直接接触することにより、防露パイプ６９８と前面部材７００との間の熱伝導性が更に高まる。
【０１１１】
図１４は、前面部材７００を冷蔵庫１Ｇの正面から見た図である。前面部材７００は、金属等の熱伝導率の高い材質の平板状の部材をコの字型に折り曲げて作られた部材である。前面部材７００は、第１折曲部７００ａ、平面部７００ｂ、および第２折曲部７００ｃを備える。前面部材７００が、仕切壁９５Ｇの内箱６９０に取り付けられる時、第１折曲部７００ａは、内箱６９０の上面部の内側に接触し、第２折曲部７００ｃは、内箱６９０の下面部の内側に接触する。
【０１１２】
図示されるように、前面部材７００は、複数の穴部７０２を備える。複数の穴部７０２は、冷蔵庫１Ｇの高さ方向の略中央において、冷蔵庫１Ｇの横幅方向に略等間隔に配設される。複数の穴部７０２の位置に対応して、第２断熱部材６９６に埋め込まれた金属製の受け部材に穴部（ねじ穴）６９６ａが設けられており、ネジやボルトなどの締結部材によって、前面部材７００と第２断熱部材６９６とが固定される。第１断熱部材６９４は、複数の穴部７０２の位置に対応して、上記締結部材が通される挿通穴６９４ａを有する。
【０１１３】
仕切壁９５Ｇにおいては、防露パイプ６９８と前面部材７００とに、特定断熱材２１０で形成される第２断熱部材６９６が接触するため、小冷凍室８４に熱を伝えることがない。これにより、冷蔵庫１Ｇの省エネ性能を向上させることもできる。
【０１１４】
（第７の実施形態の第１の変形例）
図１５は、第７の実施形態の第１の変形例の冷蔵庫１Ｈの第１断熱部材７２０を示す断面図である。第１変形例の冷蔵庫１Ｈは、第７の実施形態の冷蔵庫１Ｇと同様に構成されるが、第１断熱部材６９４の代わりに第１断熱部材７２０を備える点が、第７の実施形態の冷蔵庫１Ｇと異なる。
【０１１５】
第１断熱部材７２０は、本体部７２０ａと、金属部７２０ｂとを備える。本体部７２０ａは、第１断熱部材６９４と同様に、特定断熱材２１０で形成され、弾性を有する。金属部７２０ｂは、前面部材７００と同様に、金属等の熱伝導率の高い部材で形成されている。金属部７２０ｂは、本体部７２０ａの少なくとも一部の表面に設けられている。本実施形態では、金属部７２０ｂは、本体部７２０ａのなかで防露パイプ６９８および前面部材７００に面する表面に設けられている。言い換えると、金属部７２０ｂは、本体部７２０ａと、防露パイプ６９８および前面部材７００との間に位置する。金属部７２０ｂは、薄い金属層（例えば金属箔）であり柔軟性を有する。金属部７２０ｂは、本体部７２０ａの弾性変形に追従して変形可能である。
【０１１６】
図１６は、第７の実施形態の第１の変形例の冷蔵庫１Ｈの小冷凍室扉２５Ｈと仕切壁９５Ｈを示す断面図である。金属部７２０ｂは、第１部分７２０ｂａと、第２部分７２０ｂｂとを有する。第１部分７２０ｂａは、冷蔵庫１Ｈの前後方向で、防露パイプ６９８に面する。第２部分７２０ｂｂは、冷蔵庫１Ｈの前後方向で、防露パイプ６９８を外れて位置し、前面部材７００の裏面に面する。本体部７２０ａは、金属部７２０ｂの第１部分７２０ｂａおよび第２部分７２０ｂｂと、第２断熱部材６９６との間に挟まれて圧縮されている。
【０１１７】
第１断熱部材７２０は、本体部７２０ａの圧縮による弾性力を金属部７２０ｂの第１部分７２０ｂａに作用させ、金属部７２０ｂの第１部分７２０ｂａを防露パイプ６９８に向けて押圧する。例えば、金属部７２０ｂの第１部分７２０ｂａは、防露パイプ６９８の外周面の一部を包み込むように変形し、防露パイプ６９８の外周面に当接する。これにより、金属部７２０ｂと防露パイプ６９８との熱接続性が向上する。
【０１１８】
同様に、第１断熱部材７２０は、本体部７２０ａの圧縮による弾性力を金属部７２０ｂの第２部分７２０ｂｂに作用させ、金属部７２０ｂの第２部分７２０ｂｂを前面部材７００の裏面に向けて押圧する。これにより、金属部７２０ｂが前面部材７００の裏面に当接し、金属部７２０ｂと前面部材７００の裏面との熱接続性が向上する。その結果、金属部７２０ｂを介して、防露パイプ６９８と前面部材７００の裏面とがより強固に熱的に接続され、防露パイプ６９８の熱の一部が金属部７２０ｂを経由して前面部材７００の裏面に伝わる。これにより、前面部材７００の表面に結露が生じることをさらい高いレベルで抑制することができる。なお、防露パイプ６９８と前面部材７００の裏面、金属部７２０ｂの第１部分７２０ｂａと防露パイプ６９８、および金属部７２０ｂの第２部分７２０ｂｂと前面部材７００の裏面は、互い直接に接することに代えて、熱伝導性が良好な部材を間に介在させて間接的に接してもよい。
【０１１９】
このような構成によれば、仕切壁９５Ｈにおいては、防露パイプ６９８と前面部材７００とに、第１断熱部材７２０の金属部７２０ｂが接触する。これにより、防露パイプ６９８の前面部材７００側の熱は、直接、前面部材７００に伝導し、防露パイプ６９８の金属部７２０ｂ側の熱は、金属部７２０ｂを介して、前面部材７００に伝導する。これによって、防露パイプ６９８の全周の熱を効率よく前面部材７００に伝導させることができる。
【０１２０】
また、金属部７２０ｂの奥側には、本体部７２０ａがあるため、防露パイプ６９８の熱が小冷凍室８４に伝わることがない。これにより、防露パイプ６９８から前面部材７００への熱伝導の効率を向上させつつ、冷蔵庫１Ｈの省エネ性能を向上させることができる。
【０１２１】
（第７の実施形態の第２の変形例）
【０１２２】
図１７は、第７の実施形態の第２の変形例の冷蔵庫１Ｉの小冷凍室扉２５Ｉと仕切壁９５Ｉを示す断面図である。第２変形例の冷蔵庫１Ｉは、第７の実施形態の冷蔵庫１Ｇと同様に構成されるが、仕切壁９５Ｇの代わりに仕切壁９５Ｉを備える点が、第７の実施形態の冷蔵庫１Ｇと異なる。
【０１２３】
野菜室８２と小冷凍室８４とを仕切る仕切壁９５Ｉは、内箱６９０、断熱部材６９６Ｉ、および前面部材７００を備える。断熱部材６９６Ｉは、例えば発泡断熱材である。仕切壁９５Ｉは、第１断熱部材６９４、および防露パイプ６９８を備えない。本変形例では、前面部材７００は、特定断熱材２１０で形成されており、断熱性能が高いため、防露パイプ６９８を備えなくとも結露を抑制することができる。
【０１２４】
以上説明した少なくともひとつの実施形態によれば、少なくとも一部がエアロゲルまたはキセロゲルを含む断熱材で形成されている第１断熱部が、冷蔵庫の第１貯蔵室の内部を、第１貯蔵部と、前記第１貯蔵部よりも低い温度帯に冷却される第２貯蔵部とに仕切るので、断熱性の向上を図ることができる。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２６】
１、１Ａ〜１Ｉ…冷蔵庫、１０…筐体、２０（２１〜２６）…扉、４０（４１〜４７）…容器、８０（８１〜８５）…貯蔵室、９１、９１ａ…仕切壁、９４ｃ…前側通気口、９４ｄ…後側通気口、９５、９５Ｆ〜９５Ｉ…仕切壁、９６、９６ａ…チルド室上面仕切部、９７…製氷用給水タンク室仕切壁、９８…チルド室蓋、２１０…特定断熱材、３０１〜３１２…第１〜第１２断熱シート、３１２ａ…スリット、３１２ｂ…給水パイプ挿通穴部、３１２ｃ…外縁、５００…製氷用給水タンクモジュール、５２２…給水パイプ、５３０…自動製氷モジュール、６９４…第１断熱部材、６９６…第２断熱部材、６９８…防露パイプ、７００…前面部材、７２０ａ…本体部、７２０ｂ…金属部
【図１】
2020109341.tif 000003
【図２】
2020109341.tif 000004
【図３】
2020109341.tif 000005
【図４】
2020109341.tif 000006
【図５】
2020109341.tif 000007
【図６】
2020109341.tif 000008
【図７】
2020109341.tif 000009
【図８】
2020109341.tif 000010
【図９】
2020109341.tif 000011
【図１０】
2020109341.tif 000012
【図１１】
2020109341.tif 000013
【図１２】
2020109341.tif 000014
【図１３】
2020109341.tif 000015
【図１４】
2020109341.tif 000016
【図１５】
2020109341.tif 000017
【図１６】
2020109341.tif 000018
【図１７】
2020109341.tif 000019